(57)【特許請求の範囲】
【請求項１】
浴槽側排水孔部を有する浴槽載置用床パンに載置される浴槽であって、底面部の端部に排水口を有する浴槽の外側面に断熱材を設け、上記浴槽の外側面に設けた断熱材のうち上記排水口に近い部位に設けられた断熱材を浴槽に対して着脱自在に取付ける着脱断熱材とし、該着脱断熱材を取外すことで浴槽の外側面側に手挿入用凹みを形成し、該手挿入用凹みが浴槽の側壁部の下端まで至り且つ該手挿入用凹みの下端が上記浴槽の下面側において底面部の端部に設けた排水口又は浴槽載置用床パンの浴槽側排水孔部に隣り合っていることを特徴とする断熱浴槽。
【発明の詳細な説明】
【技術分野】
【０００１】
本発明は、排水部分の掃除、保守・点検がし易い断熱浴槽に関するものである。
【背景技術】
【０００２】
従来から底面部の端部に排水口を有する浴槽の外側面及び底面部の下面に断熱材を積層した断熱浴槽が知られている（例えば、特許文献１参照）。
【０００３】
ところで、一般に浴槽は、図４のように浴槽設置用床パン６上に載設される。浴槽設置用床パン６は洗い場用床パン９の一側端部に連設してある。ここで浴槽設置用床パン６と洗い場用床パン９との間は上方に向けて突出した仕切り用突部１０となっており、洗い場用床パン９の湯水が浴槽設置用床パン６側に流れたり、浴槽設置用床パン６の湯水が洗い場用床パン９側に流れたりしないようになっている。断熱浴槽Ａの洗い場側の外側面側を隠すようにエプロン１６が着脱自在に取付けられ、該エプロン１６の下端部が浴槽設置用床パン６と洗い場用床パン９との境界部分の仕切り用突部１０上に配設される。洗い場用床パン９の上記仕切り用突部１０側の端部には洗い場側排水孔部１１が設けてあり、該洗い場側排水孔部１１に排水トラップ装置１２が接続され、該排水トラップ装置１２に排水管１３が接続され、洗い場用床パン９からの排水は、洗い場側排水孔部１１から排水トラップ装置１２を介して排水管１３に流れて排水される。
【０００４】
また、浴槽設置用床パン６の上記仕切り用突部１０側の端部には浴槽側排水孔部５が設けてあり、該浴槽側排水孔部５が浴槽側排水トラップ装置１５又は接続管を介して上記排水トラップ装置１２に接続してある。断熱浴槽Ａは浴槽２の底面部の一端部に設けた排水口１が浴槽側排水孔部５のほぼ上方位置に対応するように設置されるもので、浴槽２の排水口１から排水された湯水は浴槽側排水孔部５に流れ、浴槽側排水トラップ装置１５又は接続管、排水トラップ装置１２を介して排水管１３から排水される。
【０００５】
洗い場側排水孔部１１や浴槽側排水孔部５には目皿などを着脱自在に取付けて髪の毛等を捕捉するようになっている。
【０００６】
ところで、上記のような構成において、浴槽側排水孔部５の掃除や保守・点検をするにはエプロン１６を取外し、断熱浴槽Ａの外面と仕切り用突部１０の側面との間の隙間から手を入れて排水口１、浴槽側排水孔部５部分の掃除や保守・点検をするのであるが、浴槽２の外側面に断熱材３を積層しているため、上記隙間が狭く、手を入れて排水口１、浴槽側排水孔部５部分を掃除や保守・点検するだけのスペースを十分に確保することができず、掃除や保守・点検ができなかったり、手を差し入れることができるとしても、極めて掃除や保守・点検がしずらいという問題がある。
【０００７】
ここで、断熱材３の外面と仕切り用突部１０の側面との間に手を入れて掃除や保守・点検し易いように上記隙間を広く確保しようとすれば、浴槽２の側壁の位置が仕切り用突部１０から離れる方向にずらす必要があり、このようにすると浴槽２内容積が小さくなってしまう。
【特許文献１】特開２００３−６４３２６号公報
【発明の開示】
【発明が解決しようとする課題】
【０００８】
本発明は上記の従来の問題点に鑑みて発明したものであって、浴槽の外側面に断熱材を設けて断熱性を確保するようにしたものにおいて、断熱材に邪魔されずに浴槽の排水部分の掃除や保守・点検が簡単にできる断熱浴槽を提供することを課題とするものである。
【課題を解決するための手段】
【０００９】
上記課題を解決するために本発明に係る断熱浴槽は、浴槽側排水孔部５を有する浴槽載置用床パン６に載置される浴槽２であって、底面部の端部に排水口１を有する浴槽２の外側面に断熱材３を設け、上記浴槽２の外側面に設けた断熱材３のうち上記排水口１に近い部位に設けられた断熱材３を浴槽２に対して着脱自在に取付ける着脱断熱材３ａとし、着脱断熱材３ａを取外すことで浴槽２の外側面側に手挿入用凹み４を形成し、該手挿入用凹み４が浴槽２の側壁部の下端まで至り且つ該手挿入用凹み４の下端が上記浴槽２の下面側において底面部の端部に設けた排水口１又は浴槽載置用床パン６の浴槽側排水孔部５に隣り合っていることを特徴とするものである。
【００１０】
このような構成とすることで、浴槽２の排水部分の掃除や保守・点検（排水口１、浴槽設置用床パン６に設けた浴槽側排水孔部５、あるいは上記排水口１、浴槽側排水孔部５の周囲の部分の掃除や保守・点検）の際は、着脱断熱材３ａを外して浴槽２の外側面側に手挿入用凹み４を形成することで、この手挿入用凹み４に沿って手を入れることで断熱材３に邪魔されることなく手を差し込んで排水口１、浴槽側排水孔部５、あるいは上記排水口１、浴槽側排水孔部５の周囲の部分の掃除や保守・点検ができる。掃除や保守・点検が終わると、着脱断熱材３ａを再び取付けることで、断熱性の低下がないようにできる。
【発明の効果】
【００１１】
本発明は、浴槽の外側面に断熱材を設けて断熱性を確保するようにしたものにおいて、断熱材に邪魔されずに浴槽の排水部分の掃除や保守・点検が簡単にできる。
【発明を実施するための最良の形態】
【００１２】
以下、本発明を添付図面に示す実施形態に基いて説明する。
【００１３】
本発明の断熱浴槽Ａは図１に示すように合成樹脂製、金属製等の浴槽２の外面である外側面、底面部の下面にＥＰＳ等の合成樹脂発泡体よりなる断熱材３を積層して構成してある。
【００１４】
浴槽２の底面部には端部に排水口１が形成してある。浴槽２の底面部の下面には上記排水口１部分を除いて断熱材３が積層してあり、また、浴槽２の外側面のほぼ全面に断熱材３が積層してある。
【００１５】
上記断熱材３のうち浴槽２の外側面の上記排水口１に近い部位に設けられた断熱材３は浴槽２に対して着脱自在に取外すことができる着脱断熱材３ａとなっており、着脱断熱材３ａを取外すことで浴槽２の外側面側に手挿入用凹み４が形成されるようになっている。この手挿入用凹み４は浴槽２の側壁部の下端まで至り、手挿入用凹み４の下端が浴槽２の底面部の下面側において図１に示すように底面部の端部に設けた排水口１に隣り合っている。手挿入用凹み４の横巾は少なくとも手を差し入れて後述の浴槽２の排水部分の掃除や保守・点検をするのに支障が無い程度の巾が必要である。
【００１６】
上記着脱断熱材３ａは添付図面に示す実施形態では、浴槽２の外側面の上記排水口１に近い部位に設けられた断熱材３の全厚み分を着脱断熱材３ａとするのではなく、厚み方向の一部のみを着脱自在な着脱断熱材３ａとしている。
【００１７】
この実施形態の場合は、浴槽２の外側面に積層固着した断熱材３の該当する部位に手挿入用凹み４となる凹部を形成し、この手挿入用凹み４となる凹部に着脱断熱材３ａを着脱自在にはめ込んである。この場合、着脱断熱材３ａを手挿入用凹み４となる凹部よりも若干大きめにして、断熱材３に形成した手挿入用凹み４となる凹部に着脱断熱材３ａをその素材（合成樹脂発泡体）の弾性を利用して着脱自在に嵌め込むことができるようにしてある。着脱断熱材３ａの上端部には図２に示すように浴槽２の外側面に固着した断熱材３より突出する手掛かり用突部１７を設けてあり、この手掛かり用突部１７に手を掛けて取外し作業が容易に行なえるようにしてある。
【００１８】
なお、上記のように断熱材３の該当する部位において厚い方向の一部を残して手挿入用凹み４を形成したのは、断熱材３の該当する部位を厚み方向の全部を削除して手挿入用凹み４を形成すると、断熱材３が変形し易いので厚み方向の一部を残して手挿入用凹み４を形成している。なお、厚み方向において残す部分の厚み寸法は例えば１０ｍｍ程度で、着脱断熱材３ａの厚み寸法は例えば３０ｍｍであるが、勿論これにのみ限定されるものではない。
【００１９】
上記のように着脱断熱材３ａは圧入により着脱自在に取付けるが、着脱断熱材３ａに係合突部７又は係合凹部８を設けると共に、浴槽２に固着されている断熱材３に係合凹部８又は係合突部７を設けて、係合突部７を係合凹部８に着脱自在に係合するようにしてもよく、両着脱手段を併用してもよい。もちろん、他の着脱手段を採用してもよいのは勿論である。
【００２０】
また、上記実施形態では着脱断熱材３ａが、浴槽２の外側面の上記排水口１に近い部位に設けられた断熱材３の全厚み分のうち一部を残して他の部分を着脱断熱材３ａとしたが、該当する箇所の断熱材３の全厚み分を着脱自在な着脱断熱材３ａとしてもよい。この場合は、手挿入用凹み４の凹み深さを深く取ることができる。
【００２１】
上記の構成の断熱浴槽Ａは図２に示すように、浴槽設置用床パン６上に載設される。この浴槽設置用床パン６は洗い場用床パン９の一側端部に連設してある。浴槽設置用床パン６と洗い場用床パン９とは一体に成形されたもの、別体のものを接続したもののいずれであってもよいが、いずれの場合も、浴槽設置用床パン６と洗い場用床パン９との間には上方に向けて突出した仕切り用突部１０が設けてあって、洗い場用床パン９の湯水が浴槽設置用床パン６側に流れたり、浴槽設置用床パン６の湯水が洗い場用床パン９側に流れたりしないようになっている。
【００２２】
洗い場用床パン９の仕切り用突部１０側の端部には洗い場側排水孔部１１が設けてあり、この洗い場側排水孔部１１に排水トラップ装置１２が接続してあり、排水トラップ装置１２に排水管１３が接続してあって、洗い場用床パン９からの排水が洗い場側排水孔部１１から排水トラップ装置１２を介して排水管１３に流れて排水されるようになっている。
【００２３】
また、浴槽設置用床パン６の上記仕切り用突部１０側の端部には浴槽側排水孔部５が設けてあり、該浴槽側排水孔部５が浴槽側排水トラップ装置１５又は接続管を介して上記排水トラップ装置１２に接続してある。そして、断熱浴槽Ａは底面部の一端部に設けた排水口１が浴槽側排水孔部５のほぼ上方位置に対応するように浴槽設置用床パン６に設置されるもので、図では省略しているが、浴槽側排水孔部５には蓋部材が取付けてあり、蓋部材に設けた孔部と浴槽２の排水口１とをホースで接続したり、あるいは水密材で外部に水が漏れないように連通接続してある。また、蓋部材には浴槽設置用床パン６に流れ込んだ湯水を浴槽側排水トラップ装置１５内に流すための逆止弁付きの孔が設けてあり、浴槽側排水トラップ装置１５から浴槽設置用床パン６側には流れないが浴槽設置用床パン６から浴槽側排水トラップ装置１５排水できるようになっている。したがって浴槽２の排水口１から排水された湯水は浴槽側排水孔部５に流れ、浴槽設置用床パン６側に逆流することなく浴槽側排水トラップ装置１５又は接続管、排水トラップ装置１２を介して排水管１３から排水されるようになっている。
【００２４】
上記洗い場用床パン９に設けた洗い場側排水孔部１１、浴槽設置用床パン６に設けた浴槽側排水孔部５には目皿（図示せず）が着脱自在に取付けてある。
【００２５】
断熱浴槽Ａの洗い場側の外側面側を隠すようにエプロン１６が着脱自在に取付けてあり、このエプロン１６は上端部を浴槽２のフランジの裏面に設けた取付け金具に着脱自在に取付けられると共に下端部を浴槽設置用床パン６と洗い場用床パン９との境界部分の仕切り用突部１０部分に着脱自在に取付けてある。
【００２６】
通常使用においては、浴槽２の底面のほぼ全面及び外側面のほぼ全面が断熱材３で覆われているので、断熱性を向上させて浴槽２内の湯水の保温効果がある。
【００２７】
一方、浴槽２の排水部分の掃除や保守・点検、つまり、排水口１、浴槽設置用床パン６に設けた浴槽側排水孔部５の掃除、あるいは上記排水口１、浴槽側排水孔部５の周囲の部分の掃除や保守・点検、あるいは逆止弁を備えた孔部分の掃除や逆止弁の保守・点検を行なう際は、まず、エプロン１６を取外し、次に、着脱断熱材３ａを外して図３のように浴槽２の外側面側に手挿入用凹み４を形成する。このように着脱断熱材３ａを外すことで浴槽２の外側面側に形成される手挿入用凹み４の下端は、図３に示すように浴槽２の排水口１又は浴槽載置用床パン６の浴槽側排水孔部５に隣り合っている。したがって、この状態で手挿入用凹み４に沿って手を入れることで断熱材３に邪魔されることなく手を差し込んで排水口１、浴槽側排水孔部５、あるいは上記排水口１、浴槽側排水孔部５の周囲の部分、あるいは逆止弁を備えた孔部分の掃除や逆止弁の保守・点検を行なうことができる。この場合、断熱材３の外側面と仕切り用突部１０の側面との間の隙間が狭くても、着脱断熱材３ａを取外して手挿入用凹み４を形成することで、浴槽２の外側面と仕切り用突部１０の側面との間に手を差し入れるのに十分なスペースを確保することができ、断熱材３に邪魔されることなく、浴槽側排水孔部５の掃除や保守・点検、あるいは上記排水口１、浴槽側排水孔部５の周囲の部分の掃除や保守・点検、逆止弁を備えた孔部分の掃除や逆止弁の保守・点検を行なうことができる。
【００２８】
掃除や保守・点検が終わると、再び元のように着脱断熱材３ａを浴槽２の外側面に取付け、その後、エプロン１６を取付ける。
【００２９】
ところで、浴槽２の排水口１と浴槽設置用床パン６に設けた浴槽側排水孔部５とを接続しない場合であってもよい。この場合は、浴槽設置用床パン６の周囲の立ち上がりを少し高く設定して、排水口１から浴槽側排水孔部５に流れる排水の一部が浴槽設置用床パン６に流れても、一時的に浴槽設置用床パン６に湯水が溜まるのみで最終的には浴槽側排水孔部５から排水することができる。この実施形態の場合も、上記のように着脱断熱材３ａを取外して手挿入用凹み４から手を差し入れることで、排水部分の掃除、保守・点検等を行なうことができる。
【図面の簡単な説明】
【００３０】
【図１】本発明の断熱浴槽を示し、（ａ）は着脱断熱材を取外していない状態の断面図であり、（ｂ）は着脱断熱材を取外した状態の断面図である。
【図２】同上の施工状態を示す断面図である。
【図３】同上のエプロン、着脱断熱材を取外した状態を示す断面図である。
【図４】従来例の問題点を示す断面図である。
【符号の説明】
【００３１】
１  排水口
２  浴槽
３  断熱材
３ａ着脱断熱材
４  手挿入用凹み
【図１】
0004460525.tif 000002
【図２】
0004460525.tif 000003
【図３】
0004460525.tif 000004
【図４】
0004460525.tif 000005